【事件の表示】
　特許第３３７２３３３号「棒状化粧料の受皿」の請求項１ないし４に係る特許に対する特許異議の申立てについて、次のとおり決定する。
【結　論】
　訂正を認める。
　特許第３３７２３３３号の請求項１ないし４に係る特許を取り消す。
【理　由】
１．手続の経緯
　特許第３３７２３３３号（請求項の数４）に係る発明についての出願は、平成５年１２月１５日に特許出願され、平成１４年１１月２２日にその発明について特許権の設定登録がなされ、その後、全請求項に係る特許について、申立人・近藤武より特許異議の申立がなされ、平成１６年６月１７日付けで取消しの理由が通知され、その指定期間内である同年８月２４日に訂正請求がされたものである。
　
２．訂正の適否についての判断
（１）訂正の内容
　ア．訂正事項ａ
　　特許請求の範囲の請求項１を削除する。
　イ．訂正事項ｂ
　　特許請求の範囲の請求項２の「前記芯材が筒状体である請求項１の受皿。」を独立請求項とし下記の新たな請求項１に訂正する。
　ウ．訂正事項ｃ
　　特許請求の範囲の請求項３の「前記芯材が棒状体である請求項１の受皿。」を独立請求項とし下記の新たな請求項２に訂正する。
　エ．訂正事項ｄ
　　特許請求の範囲の請求項４の「前記芯材を複数設けた請求項１ないし３のいずれか１項に記載の受皿。」を、新たな請求項１を引用する下記の新たな請求項３と、新たな請求項２を引用する下記の新たな請求項４に分ける。
　オ．訂正事項ｅ
　　明細書の段落【０００７】における「支持部５３は、外筒５１の内周の一部と内筒５２の外周の一部とを所定間隔をもって接続している。」との記載を「支持部５３は、外筒５１の内周の一部と内筒５２の外周の一部とを
、外筒５３の周方向に沿って
　
［新たな請求項］
【請求項１】  
溶解状化粧料が注入されるとともに、
、溶解状化粧料が硬化した
　前記受皿が、
　
一方の端部に成形型が取り付けられるとともに、溶解状化粧材料が、他方の端部である下端から注入され、前記下端付近まで充填される
　
筒状体であって、前記
同軸状に
　
前記
前記
　前記芯材が
、
前記外筒内に
　前記支持部が前記外筒の内周の一部と前記芯材の外周の一部とを所定間隔をもって接続したことを特徴とする棒状化粧料の受皿。
【請求項２】  
溶解状化粧料が注入されるとともに、容器内において、溶解状化粧料が硬化した棒状化粧料を保持する受皿であって、
　
前記受皿が、
　
一方の端部に成形型が取り付けられるとともに、溶解状化粧材料が、他方の端部である下端から注入され、前記下端付近まで充填される外筒と、
　
棒状体であって、前記外筒内に同軸状に配置される芯材と、
　
前記芯材を前記外筒内で支持する支持部とから構成され、
　
前記芯材が、棒状化粧料の軸方向に沿って前記外筒内に設けられ、
　
前記支持部が前記外筒の内周の一部と前記芯材の外周の一部とを所定間隔をもって接続したことを特徴とする棒状化粧料の受皿。
【請求項３】　前記芯材が
、棒状化粧料の軸に沿って並んで配置される複数の芯材から構成されることを特徴とする請求項１に記載の受皿。
【請求項４】前記芯材
が、棒状化粧料の軸に沿って並んで配置される複数の芯材から構成されることを特徴とする請求項２に記載の受皿。
　
（２）訂正の目的の適否、新規事項の有無及び拡張・変更の存否
　上記訂正事項ａは、請求項の削除であるから、特許請求の範囲の減縮を目的とした明細書の訂正に該当する。
　また、上記訂正事項ｂ及びｃは、引用形式の請求項を独立形式に書き換えると共に、明細書の段落【０００２】、【０００７】、【０００８】及び図２、４、６、７の記載に基いて「受皿」、「外筒」、「芯材」、「支持部」の各構成を限定するものであるから、特許請求の範囲の減縮を目的とした明細書の訂正に該当する。
　また、上記訂正事項ｄは、上記訂正事項ａに伴い、請求項１ないし３を引用していた訂正前の請求項４を、訂正後の請求項１、２をそれぞれ独立して引用する新たな請求項３と請求項４に分けると共に、明細書の段落【００１９】、【００２０】及び図６の記載に基いて、「芯材」の構成を限定するものであるから、特許請求の範囲の減縮及び明りょうでない記載の釈明を目的とした明細書の訂正に該当する。
　さらに、上記訂正事項ｅは、明細書の段落【０００７】及び図１、５の記載に基いて、「支持部５３」の構成を明確にするものであるから、明りょうでない記載の釈明を目的とした明細書の訂正に該当する。
　そして、上記いずれの訂正事項も、新規事項の追加に該当せず、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
（１）本件発明
　上記２．で示したように上記訂正が認められるから、本件の請求項１ないし４に係る発明（以下、「本件発明１ないし４」という。）は、上記訂正に係る訂正明細書の特許請求の範囲の請求項１ないし４に記載したとおりのものである。（上記２．（１）ア．の［新たな請求項］参照。）
　
（２）取消しの理由の概要
　本件発明１ないし４は、下記の刊行物１ないし６に記載された発明に基づいて当業者が容易に発明をすることができたもので、いずれも、特許法第２９条第２項の規定により特許を受けることができないものであるから、その特許は取り消されるべきである。
　　　　　　　　　　　　　　　　　記
　刊行物１：米国特許第２８１５１２３号明細書（異議申立人の提出した
　　　　　　甲第１号証）
　刊行物２：実願昭６０−１５８６２１号（実開昭６２−６７５１５号）の
　　　　　　マイクロフィルム（同甲第２号証）
　刊行物３：実公昭５０−３１１７２号公報（同甲第３号証）
　刊行物４：実願昭６０−１０２１１４号（実開昭６２−１０８１８号）の
　　　　　　マイクロフィルム（同甲第４号証）
　刊行物５：実願昭５９−１０９６６８号（実開昭６１−２３９１３号）の
　　　　　　マイクロフィルム（同甲第５号証）
　刊行物６：実願昭５６−９０６２８号（実開昭５７−２０２８１１号）の
　　　　　　マイクロフィルム（同甲第６号証）
　
（３）引用刊行物に記載された発明
　ア．取消しの理由で引用した刊行物１には、化粧料の受皿に関するものであって、図１〜６と共に次の事項が記載されている（和訳は異議申立人の提出した甲第１号証に添付された翻訳文抜粋参照）。
　・「本発明は、化粧料の容器に関するもので、特に口紅のような化粧用ポマード組成物の一端を受けとめ、かつ支えるための改良された受皿の構成に関する。」（第１欄第１５〜１８行）
　・「棒状の化粧用ポマードは、いかなる従来組成物でもよいが、柔らかく塑性的で比較的滑りやすい材料であり、受皿内に保持機構によって保持されている。この保持機構は、平坦な底部２８及び筒状の側壁３０と間隔をあけて受皿内に取付けられているリング２６形状の伸びた障害物を含み、リング２６は、受皿の軸と一般に平行で半径方向に内側に伸びている複数のリブ若しくはフランジ３２によって支持されている。保持手段は、望ましい実現形態としてはリング２６の形であるが、受皿底及び側壁と間隔をもって受皿に横断的に拡がっている他のいかなる形の障害物でもよい。図４に示す通り、障害物又はリング２６は、望ましくは受皿底部の円形孔３４の上にあり、リング２６の外径は孔３４の直径と等しい。更に、障害物若しくはリング２６は、その周りでの化粧料の流動を促進するために、断面厚みが受皿の口に向けて漸減するのが望ましい。受皿及び保持手段のデザインは、一体物として成型され得るものである。」（第２欄第５３行〜第３欄第３行）
　・「クレーム：
　１．口紅組成物の端部を保持する受皿を備えた口紅容器；
　ここで受皿は、一般に筒状の壁面と、一般に円形でその縁が前記壁面から内側に所定間隔をあけて配置された開口部を有する一般に平らな底面と、前記壁面に固定されており、かつそこから半径方向内側に向かい前記開口部の縁と隣接する点まで伸びている複数個のリブと、その内側端部と接し前記リブに固定されているリング形状の障害物とを有しており、前記リングは一般に前記平らな底部と平行な平面内にあり、かつ前記底面と前記壁面から受皿内径の１／４〜１／１０の距離をおいて配置されている。
　２．前記リング状障害物の外径が、前記開口部の直径と略等しいような請求項１に記載の口紅容器。
　３．リング状障害物の断面厚みが受皿口部に向かうに従い漸減するような請求項１に記載の口紅容器。」（第４欄第２５〜４４行）
　・また、第３〜６図には、側壁３０内に同軸状に且つ化粧用ポマード組成物の棒状物２４の軸方向に沿ってリング２６を配置し、複数のリブ３２が側壁３０の内周の一部とリング２６の外周の一部とを所定間隔をもって接続した構成が示されている。
　
　イ．同じく引用した刊行物４には、二色口紅成形用紅皿に関するものであって、第１〜３図と共に次の事項が記載されている。
　・「外皿２と該外皿２内に適宜の間隙を介して設けた内皿３との二重構造体からなる有底短筒状の皿体１の側面にピン４を突設すると共に皿体１の底部には前記外皿２及び内皿３の下部を夫々延長してなる周壁５，６を形成し、前記外皿２及び内皿３の底壁７，８に化粧料の注入口９，１０を穿設し、更に前記外皿２の開口部に装着するカプセル１１及び前記内皿３の開口部に装着するカプセル１２とからなる二色口紅成形用紅皿。」（実用新案登録請求の範囲）
　・「本案紅皿によって二色口紅を成形する場合は先ず内皿３の開口部にカプセル１２を装着し、底部の注入口１０から自動充填機によって口紅溶液を注入し、この溶液が固化した時点でカプセル１２を除去し、つぎに外皿２の開口部にカプセル１１を装着して注入口９から前記とは色を異にする口紅容液を注入し、これを固化したのちカプセル１１を除去するようになる。」（明細書第３頁第１３〜２０行）
　・また、第１図及び第３図には、口紅溶液が固化した棒状化粧料を保持する皿体１が、一方の端部にカプセル１１が取り付けられ、他方の端部である下端から口紅溶液が注入されて下端付近まで充填される外皿２と、外皿２内に同軸状に配置される筒状体である内皿３と、内皿３を外皿２内で支持する注入口９を穿設した底壁７とから構成されることが示され、さらに、内皿３が棒状化粧料の軸方向に沿って外皿２内に設けられ、底壁７が外皿２の内周と内皿３の外周とを接続した構成が示されている。
　
　これらの記載事項及び図示内容を総合すると、刊行物４には、以下のとおりの発明（以下、「引用発明４」という。）が記載されているものと認められる。
「口紅溶液が注入されるとともに、容器内において、口紅溶液が固化した棒状化粧料を保持する皿体１であって、
　前記皿体１が、
　一方の端部にカプセル１１が取り付けられるとともに、口紅溶液が、他方の端部である下端から注入され、前記下端付近まで充填される外皿２と、
　注入口１０を穿設した底壁８を有し、筒状体であって、前記外皿２内に同軸状に配置される内皿３と、
　前記内皿３を前記外皿２内で支持する注入口９を穿設した底壁７とから構成され、
　前記内皿３が、棒状化粧料の軸方向に沿って前記外皿２内に設けられ、
　前記底壁７が前記外皿２の内周と前記内皿３の外周とを接続した棒状化粧料の皿体１。」
　
　ウ．同じく引用した刊行物５には、口紅等の収納容器に関するものであって、第１〜８図と共に次の事項が記載されている。
　・「筒状体内を上下移動する口紅等を支持する皿部材を備えた口紅等が直接充填される口紅等の収納容器において、前記皿部材に該皿部材に支持された口紅等の補強を図る心棒を摺動可能に備えたことを特徴とする口紅等の収納容器。」（実用新案登録請求の範囲）
　・「１１は前記内筒部材６内を摺動する、口紅等１２を支持する皿部材で、・・・１４は前記皿部材１１に摺動可能に備えられた該皿部材１１に支持された口紅等１２を支持する心棒で、この心棒１４の下端は前記皿部材１１に一体成形された該心棒１４の上方へ抜け脱を防止する抜け脱防止部材１５に支持されている。」（明細書第３頁第１５行〜第４頁第４行）
　・「上記構成の口紅等の収納容器にあっては、皿部材１１を内筒部材６の最下部に位置させ、該内筒部材６の上部開口部より直接口紅等を内筒部材６内に充填し、皿部材１１を心棒１４によって支持させる。」（同第４頁第７行〜第１０行）
・また、第１、２図には、口紅等が充填される外筒及び底壁を備えた皿部材１１の構成、心棒１４の一部が皿部材１１の外筒の端部から突出して配置された構成、及び、心棒１４を外筒内で支持する底壁と外筒の下端で支持する抜け脱防止部材１５からなる支持構成が示されている。
　
　これらの記載事項及び図示内容を総合すると、刊行物５には、以下のとおりの発明（以下、「引用発明５」という。）が記載されているものと認められる。
「口紅等が充填されるとともに、容器内において、充填された口紅１２を支持する皿部材１１であって、
　前記皿部材１１が、
　口紅等が充填される外筒と、
　口紅等を上部から充填するための底壁と、
　棒状体であって、前記外筒内に同軸状に配置され、一部が外筒端から突出する心棒１４と、
　前記心棒１４を前記外筒内で支持する底壁及び前記外筒の下端で支持する抜け脱防止部材１５とから構成され、
　前記心棒１４が、一部を除き、口紅１２の軸方向に沿って前記外筒内に設けられた口紅１２の皿部材１１。」
　
（４）対比・判断
　ア．本件発明１について
　本件発明１と引用発明４とを対比すると、その作用・機能からみて、後者における「口紅溶液」が前者における「溶解状化粧料」及び「溶解状化粧材料」に相当し、以下同様に、「固化」が「硬化」に、「皿体１」が「受皿」に、「カプセル１１」が「成形型」に、「外皿２」が「外筒」に、「内皿３」が「芯材」に、「注入口９を穿設した底壁７」が「支持部」に、それぞれ相当している。
　したがって、両者は、
「溶解状化粧料が注入されるとともに、容器内において、溶解状化粧料が硬化した棒状化粧料を保持する受皿であって、
　前記受皿が、
　一方の端部に成形型が取り付けられるとともに、溶解状化粧材料が、他方の端部である下端から注入され、前記下端付近まで充填される外筒と、
　筒状体であって、前記外筒内に同軸状に配置される芯材と、
　前記芯材を前記外筒内で支持する支持部とから構成され、
　前記芯材が、棒状化粧料の軸方向に沿って前記外筒内に設けられ、
　前記支持部が前記外筒の内周と前記芯材の外周とを接続した棒状化粧料の受皿。」
において一致し、次の点で相違する。
（相違点Ａ）
　支持部に関し、本件発明１が、外筒の内周「の一部」と芯材の外周「の一部」とを「所定間隔をもって」接続した構成としたものであり、さらにこの構成から、互いに「所定間隔をもって」複数の支持部が存在すると解されるのに対し、引用発明４は、外筒の内周と芯材の外周とを「注入口９を穿設した底壁７」という単一の支持部で接続した構成である点。
　以下、上記相違点Ａについて検討する。
　上記刊行物１には、複数の支持部（リブ３２が相当）が外筒（側壁３０が相当）の内周の一部と芯材（リング２６が相当）の外周の一部とを所定間隔をもって接続した構成を有する棒状化粧料（化粧用ポマード組成物の棒状物２４が相当）の受皿の発明が記載されている。
　引用発明４も刊行物１に記載された発明も、棒状化粧料の受皿という同一技術分野に属するものであるから、引用発明４における芯材の支持部として、刊行物１に記載された発明の構成を採用し、上記相違点Ａに係る本件発明１の構成とすることは、当業者が格別の困難性を伴うことなく適宜なし得る程度のものである。
　そして、本件発明１の全体構成により奏される効果も、刊行物１及び４に記載された発明から当業者が予測し得る範囲内のものである。
　したがって、本件発明１は、上記刊行物１及び４に記載された発明に基づいて当業者が容易に発明をすることができたものというべきである。
　
　なお、本件特許権者は、平成１６年８月２４日付けの意見書の第１３頁第５〜９行において、「刊行物４に記載された受皿では本件発明の効果を得ることができない。すなわち、刊行物４に記載された受皿の場合、底壁（７）、（８）の孔に対し別々に溶解状化粧料を注入しなければならず、一度に円滑に注入することができないため、表面の痕跡を取り除く前提としての化粧料の均一な充填が実現されない。」と主張している。
　しかしながら、刊行物４に記載された受皿の構成によれば、二色の口紅を成形する場合は、底壁（７）、（８）の孔に対し別々に溶解状化粧料を注入する必要があるが、単色の口紅を成形する場合は、底壁（７）、（８）の孔に対し同時に溶解状化粧料を注入すればよいだけのことであり、溶解状化粧料を一度に円滑に注入することができないとはいえないため、上記主張は到底採用できない。
　
　イ．本件発明２について
　　本件発明２と引用発明５とを対比すると、その作用・機能からみて、後者における「口紅等」が前者における「溶解状化粧料」及び「溶解状化粧材料」に相当し、以下同様に、「充填」が「注入」に、「充填された口紅１２」が「溶解状化粧料が硬化した棒状化粧料」及び「棒状化粧料」に、「支持」が「保持」に、「皿部材１１」が「受皿」に、「心棒１４」が「芯材」に、「底壁」及び「抜け脱防止部材１５」が「支持部」に、それぞれ相当している。
　したがって、両者は、
「溶解状化粧料が注入されるとともに、容器内において、溶解状化粧料が硬化した棒状化粧料を保持する受皿であって、
　前記受皿が、
　溶解状化粧材料が充填される外筒と、
　棒状体であって、前記外筒に同軸状に配置される芯材と、
　前記芯材を前記外筒で支持する支持部とから構成され、
　前記芯材が、棒状化粧料の軸方向に沿って前記外筒に設けられた棒状化粧料の受皿。」
において一致し、次の点で相違する。
（相違点Ｂ）
　溶解状化粧材料が充填される外筒に関し、本件発明２は、「一方の端部に成形型が取り付けられるとともに」、溶解状化粧材料が、「他方の端部である下端から注入され、前記下端付近まで」充填される構成としているのに対し、引用発明５は、かかる充填態様の構成とされていない点。
（相違点Ｃ）
　芯材に関し、本件発明２が、「外筒内に・・・配置される」、「外筒内に設けられ」及び「外筒内で支持する」とされているところから、芯材の全てが外筒内に配置され、設けられ及び支持されていると解されるのに対し、引用発明５は、必ずしも芯材の全てがそのような配置又は支持関係にあるわけではない点。
（相違点Ｄ）
　支持部に関し、本件発明２が、「外筒の内周の一部と芯材の外周の一部とを所定間隔をもって接続した」構成であり、さらにこの構成から、互いに所定間隔をもって複数の支持部が存在すると解されるのに対し、引用発明５は、かかる構成を備えていない点。
　以下、上記各相違点について検討する。
・相違点Ｂについて
　ところで、本件特許明細書の段落【０００２】に、「【従来の技術】口紅などの棒状化粧料は、ケース内において、その一端が受皿で保持され、その受皿を昇降させることによりケースから出し入れするようにしている。棒状化粧料の成形時には、図９に示すように、受皿１に成形型２が取り付けられ、受皿１の下方より溶融した化粧料が受皿１の下端付近まで注入され、硬化後成形型２が取り外される。」と記載されているように、棒状化粧料の充填の際に、受皿の外筒に対し、「一方の端部に成形型が取り付けられるとともに」、溶解状化粧材料が、「他方の端部である下端から注入され、前記下端付近まで」充填されるとする構成を採用することは、周知技術であるといえる。
　したがって、引用発明５において、上記周知技術を適用し、相違点Ｂに係る本件発明２の構成とすることは、当業者が容易に想到し得たものというべきである。
・相違点Ｃについて
　溶解状化粧材料を受皿の外筒に充填するものにおいて、芯材の全てが外筒内に配置され、設けられ及び支持されている構成は、引用発明４の構成として開示されているところである。
　そうすると、引用発明５において、芯材の外筒に対する配置・支持関係について、引用発明４の構成を適用し、相違点Ｃに係る本件発明２の構成とすることは、当業者が容易に想到し得たものというべきである。
・相違点Ｄについて
　上記刊行物１には、複数の支持部（リブ３２が相当）が外筒（側壁３０が相当）の内周の一部と芯材（リング２６が相当）の外周の一部とを所定間隔をもって接続した構成を有する棒状化粧料（化粧用ポマード組成物の棒状物２４が相当）の受皿の発明が記載されている。
　引用発明５も刊行物１に記載された発明も、棒状化粧料の受皿という同一技術分野に属するものであるから、引用発明５における支持部として、刊行物１に記載された発明の構成を採用し、上記相違点Ｄに係る本件発明２の構成とすることは、当業者が格別の困難性を伴うことなく適宜なし得る程度のものである。
　そして、本件発明２の全体構成により奏される効果も、刊行物１、４及び５に記載された発明から当業者が予測し得る範囲内のものである。
　したがって、本件発明２は、上記刊行物１、４及び５に記載された発明に基づいて当業者が容易に発明をすることができたものというべきである。
　
　ウ．本件発明３について
　　本件発明３は、本件発明１に、「芯材が、棒状化粧料の軸に沿って並んで配置される複数の芯材から構成される」とする構成をさらに限定したものである。
　ところで、本件特許明細書の段落【００１８】〜【００２１】の、「以上本発明を上記実施例について説明したが、本発明はそれに限定されることはなく、様々に変形して実施することができる。・・・　図６はさらに別の実施例の概略縦断面図であり、筒体は円柱状に限らず、錐体状であってもよいし、また円筒状の場合には内径に差があってもよい。さらに複数の筒体を上下に配置してもよいし、筒体の側面に多数の小孔を形成するようにしてもよい。・・・【発明の効果】以上説明したように、本発明によれば、受皿内に芯材を設けることにより、棒状化粧料が芯材を中心に収縮硬化されるので、成形型への付着を減少させて化粧料表面の痕跡を減少させることができるとともに、棒状化粧料の受皿からの離脱を確実に防ぐことができる。」との記載によれば、芯材の具体的な形状に関しては、棒状化粧料が芯材を中心に収縮硬化する限りにおいて適宜変形し得るものと解すべきであり、また、形状の相違に基づいて格別な効果上の差異が生ずるとも認められないから、芯材の形状を本件発明３に係る上記限定した構成とすることは、当業者が必要に応じて適宜選択し得る設計的事項というべきである。
　したがって、上記「ア．」での検討内容を踏まえれば、本件発明３は、上記刊行物１及び４に記載された発明に基づいて当業者が容易に発明をすることができたものというべきである。
　
　エ．本件発明４について
　　本件発明４は、本件発明２に「芯材が、棒状化粧料の軸に沿って並んで配置される複数の芯材から構成される」とする構成をさらに限定したものであるが、かかる限定した構成は、本件発明３において限定した構成と同一である。
　したがって、上記「イ．」及び「ウ．」での検討内容を踏まえれば、本件発明４は、上記刊行物１、４及び５に記載された発明に基づいて当業者が容易に発明をすることができたものというべきである。
　
（５）むすび
　以上のとおりであるから、本件発明１ないし４は、特許法第２９条第２項の規定により特許を受けることができない。
　したがって、本件発明１ないし４についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１７年５月２４日（２００５．５．２４）
【訂正の要旨】
審決（決定）の【理由】欄参照。
（５４）【発明の名称】
棒状化粧料の受皿
（５７）【特許請求の範囲】
　【請求項１】
溶解状化粧料が注入されるとともに、
、溶解状化粧料が硬化した
　前記受皿が
、
　
一方の端部に成形型が取り付けられるとともに、溶解状化粧材料が、他方の端部である下端から注入され、前記下端付近まで充填される
　
筒状体であって、前記
同軸状に
　
前記
前記
　前記芯材が
、
前記外筒内に
　前記支持部が前記外筒の内周の一部と前記芯材の外周の一部とを所定間隔をもって接続したことを特徴とする棒状化粧料の受皿。
　【請求項２】
溶解状化粧料が注入されるとともに、容器内において、溶解状化粧料が硬化した棒状化粧料を保持する受皿であって、
　
前記受皿が、
　
一方の端部に成形型が取り付けられるとともに、溶解状化粧材料が、他方の端部である下端から注入され、前記下端付近まで充填される外筒と、
　
棒状体であって、前記外筒内に同軸状に配置される芯材と、
　
前記芯材を前記外筒内で支持する支持部とから構成され、
　
前記芯材が、棒状化粧料の軸方向に沿って前記外筒内に設けられ、
　
前記支持部が前記外筒の内周の一部と前記芯材の外周の一部とを所定間隔をもって接続したことを特徴とする棒状化粧料の受皿。
　【請求項３】前記芯材が
、棒状化粧料の軸に沿って並んで配置される複数の芯材から構成されることを特徴とする請求項１に記載の受皿。
　【請求項４】前記芯材
が、棒状化粧料の軸に沿って並んで配置される複数の芯材から構成されることを特徴とする請求項２に記載の受皿。
【発明の詳細な説明】
　【０００１】
　【産業上の利用分野】
　本発明は、容器内において棒状化粧料を保持する受皿に関し、特に棒状化粧料の表面に表われる痕跡を減少させるとともに、棒状化粧料を確実に保持できるようにした受皿に関する。
　【０００２】
　【従来の技術】
　口紅などの棒状化粧料は、ケース内において、その一端が受皿で保持され、その受皿を昇降させることによりケースから出し入れするようにしている。棒状化粧料の成形時には、図９に示すように、受皿１に成形型２が取り付けられ、受皿１の下方より溶融した化粧料が受皿１の下端付近まで注入され、硬化後成形型２が取り外される。
　【０００３】
　図８は化粧料Ｂが硬化した状態を示す断面図であるが、図からわかるように、化粧料Ｂは、硬化の過程において、受皿１および成形型２の一部の面Ｆへ向って図８の矢印で示すように収縮する。一方、面Ｆの対面には隙間Ｓができる。そうすると、図９に示すように、受皿１から成形型２にかけて帯状の付着面３が形成され、この付着面３は成形型２を取り外した後も化粧料の表面にすじ状の痕跡を残し商品の外観を損ねる原因となる。
　【０００４】
　ところで、棒状化粧料の受皿については、従来より種々の改良が提案されており、たとえば、実公昭６１−２４１７０号公報には、受皿の内周面に螺条、内鍔、縦条を形成して棒状化粧料を確実に保持できるようにした考案が開示されている。また、受皿の側壁に多数の小孔を開けて受皿内外の棒状化粧料の冷却勾配を均一にする考案（実公平１−３６７８１号公報）、受皿に内径差および斜状、縦状リブを設けて口紅の抜け、回転を防止する考案（実公平５−１３２９９号公報）なども知られている。
　【０００５】
　【発明が解決しようとする課題】
　しかしながら、従来の技術においては、上述したような棒状化粧料の表面に表われる痕跡について課題としてとりあげたものは無かった。また、棒状化粧料を受皿に保持する構造にしてみても、従来提案されているものでは十分に保持性を確保できるものではなかった。本発明はこの点にかんがみてなされたもので、上述したような棒状化粧料の表面に表われる痕跡を減少させるとともに、棒状化粧料を確実に保持できる受皿を提供することを課題とする。
　【０００６】
　【課題を解決するための手段】
　上記課題を解決するために、本発明においては、棒状化粧料の受皿内に棒状化粧料の軸方向に沿って芯材を設けるようにした。この芯材は、材質、大きさは特に限定されず、また形状も筒状体であってもよいし、棒状体であってもよい。またその数は単数でも複数でもよい。要するに芯材は溶融化粧料が硬化するときに核となるようなものであればよい。
　【０００７】
　【実施例】
　以下本発明の一実施例を図を参照して説明する。図１は本実施例の受皿の平面図、図２は図１のＡ−Ａ断面図である。受皿５は、外筒５１と、外筒５１内に配置される内筒５２と、内筒５２を外筒５１内で支持する支持部５３とから構成され、これら三者はたとえば樹脂製で一体に形成されている。外筒５１は、段差５１ａを有し、これを境に上部と下部に分けられ、上部の内径は下部の内径より僅かに大きくなっている。内筒５２は、段差５１ａ付近に外筒５１と軸方向を同じにして配置されている。支持部５３は等間隔に３本設けられている。
支持部５３は、外筒５１の内周の一部と内筒５２の外周の一部とを、外筒５３の周方向に沿って所定間隔をもって接続している。
　【０００８】
　さて、成形時においては、溶融した化粧料は外筒５１の図２の下端から注入され硬化される。このとき内筒５２は外筒５１と同軸状に配置されているので、化粧料の注入は円滑に行われる。化粧料が硬化するときは、図３に矢印で示すように、内筒５２が中心または核となってその方向へ収縮するので、化粧料Ｂは外筒５１に付着せず、外筒５１との間には僅かな隙間Ｓができる。そのため、硬化後の棒状化粧料に従来のような痕跡（図９）はできない。また、できるとしても、図４に示すように、成形型２の先の一部に極めて小さな痕跡Ｋができるだけである。
　【０００９】
　次に、比較例として上記受皿から内筒５２、支持部５３を除去した受皿（但し外筒の内面に小さな突起を３個設けてある）を準備し、この比較例と上記実施例に成形型２をセットし、下記処方および製法の棒状化粧料の溶融物を充填硬化させ、成形性および成形物の強度を評価した。
　【００１０】
　（１）付着試験
成形型を受皿から取り外すときの荷重値（ｇ）をオートグラフにより測定した。表中、Ｒは最小値と最大値の差を示す。
　【００１１】
　【表１】
　【００１２】
試験棒状化粧料の処方および製法
　（処方）
１．カルナウバワックス　　　　　　　　　　　　　　　　　９．０（重量％）
２．セレシン　　　　　　　　　　　　　　　　　　　　　１２．０
３．ミツロウ　　　　　　　　　　　　　　　　　　　　　２０．０
４．ラノリン　　　　　　　　　　　　　　　　　　　　　　９．０
５．ヒマシ油　　　　　　　　　　　　　　　　　　　　　　残　量
６．ステアリン酸ヘキサデシル　　　　　　　　　　　　　１０．０
７．セチルアルコール　　　　　　　　　　　　　　　　　　３．０
８．顔料　　　　　　　　　　　　　　　　　　　　　　　　適　量
９．香料　　　　　　　　　　　　　　　　　　　　　　　　適　量
　（製法）
　Ａ：上記１〜７を加熱溶解する。
　Ｂ：Ａに上記８，９を加えて３本ローラにて混練する。
　Ｃ：Ｂを溶解して棒状化粧料の溶融物とする。
　【００１３】
　（２）外観試験
　上記（１）の試験で成形型を外したサンプルについて専門評価者の目視により外観試験を行った。判定基準は次のとおりである。
　◎成形型への付着の痕跡がない
　○成形型への付着の痕跡は見られるが問題とならない程度
　△成形型への付着の痕跡が残る
　×成形型への付着の痕跡が著しく残る
　【００１３】
　【表２】
　【００１４】
　上記（１）（２）より、実施例の受皿は、棒状化粧料の成形型への付着が少ないため、取り外す際の荷重値が低く離型性が良い。また外観評価においても良好な結果が得られた。
　【００１５】
　（３）強度試験
　上記（２）試験のサンプルを各５本ずつ３５℃、５０℃の恒温槽に２時間セットした後、受皿から充填物を引き抜くときの荷重値（ｇ）をオートグラフにより測定した。
　【００１６】
　【表３】
　【００１７】
　上記結果より、どちらの温度においても実施例の受皿の方が引き抜く際の荷重値は高く、棒状化粧料が受皿に強固に保持されていることがわかった。
　【００１８】
　以上本発明を上記実施例について説明したが、本発明はそれに限定されることはなく、様々に変形して実施することができる。図５は他の実施例の概略平面図を示し、受皿内に配置される内筒の断面形状は、円に限らず、六角形や四角形などの多角形であってもよい。また内筒は複数設けてもよく、その場合、内筒の中にさらに径の小さい筒体を配置したり、筒体を複数本並べて配置してもよい。また断面形状の異なる筒体を組み合わせるようにしてもよい。
　【００１９】
　図６はさらに別の実施例の概略縦断面図であり、筒体は円柱状に限らず、錐体状であってもよいし、また円筒状の場合には内径に差があってもよい。さらに複数の筒体を上下に配置してもよいし、筒体の側面に多数の小孔を形成するようにしてもよい。
　【００２０】
　図７はさらに別の実施例の受皿の縦断面図を示すもので、ここでは受皿内に筒状体ではなく棒状体を設置した。棒状体は、角柱状、円柱状または錐体状などでもよい。さらに棒状体が異なる複数の径を有するようにしてもよいし、その表面に凹凸を形成してもよい。
　【００２１】
　【発明の効果】
　以上説明したように、本発明によれば、受皿内に芯材を設けることにより、棒状化粧料が芯材を中心に収縮硬化されるので、成形型への付着を減少させて化粧料表面の痕跡を減少させることができるとともに、棒状化粧料の受皿からの離脱を確実に防ぐことができる。
【図面の簡単な説明】
　【図１】
　本発明による棒状化粧料の受皿の一実施例の平面図である。
　【図２】
　図１の受皿のＡ−Ａ断面図である。
　【図３】
　棒状化粧料が硬化した状態を示す断面図である。
　【図４】
　棒状化粧料が硬化した状態を示す側面図である。
　【図５】
　本発明の他の実施例を示す概略平面図である。
　【図６】
　本発明の他の実施例を示す概略断面図である。
　【図７】
　本発明の他の実施例を示す概略断面図である。
　【図８】
　従来の棒状化粧料の硬化状態を示す断面図である。
　【図９】
　従来の棒状化粧料の硬化状態を示す側面図である。
　【符号の説明】
　５　受皿
　５１　外筒
　５２　内筒